(57)【特許請求の範囲】
【請求項１】
無線電話システムにおいて複数の伝送データレートから受信されたデータレートを決定するシステムであって、
複数の累算された信号を形成するために、受信されたエネルギーレベルを表現する受信された信号を累算するための相関器と、該累算された信号の各々は該伝送データレートの一つを表現し、そして
該累算された信号をあらかじめ設定された基準レベルと比較し、そして該伝送データレートの一つを表現する第２の信号を発生する比較器と
を含み
ここで該累算された信号の各々は、該表現された伝送データレートよりも低い該伝送データレートに関して価値のない電力制御グループについて累算された、最大相関エネルギーの合計である、
システム。
【請求項２】
該受信された信号を逆拡散するための擬似信号逆拡散変調器をさらに含む請求項１のシステム。
【請求項３】
該第２の信号に基づいたデータレートで該受信された信号を復号するための復号器をさらに含む請求項２のシステム。
【請求項４】
該受信された信号内のフレームの、擬似ランダム的に間隔をとった離散化された位置に関する、あらかじめ設定された数に基づいて、該比較器が該第２の信号を発生する請求項３のシステム。
【請求項５】
該伝送データレートが、フル、ハーフ、４分の１、あるいは８分の１レートの一つである請求項４のシステム。
【請求項６】
該無線電話システムが、符号分割マルチプルアクセス受信機を含む請求項５のシステム。
【請求項７】
さらにレーク受信機を含む請求項６の無線電話システム。
【請求項８】
無線電話システムにおいて複数の伝送データレートから受信されたデータレートを決定するための方法であって、
（ａ）信号を受信し、
（ｂ）複数の累算された信号を形成するために該受信された信号を累算し、該累算された信号の各々は該伝送データレートの一つを表現し、
（ｃ）比較結果を形成するために、該累算された信号の各々を予め設定されたしきい値の１つと比較し、そして
（ｄ）該比較結果に基き、該受信されたデータレートを決定するステップを含み、
ここで該累算された信号の各々は、該表現された伝送データレートよりも低い該伝送データレートに関して価値のない電力制御グループについて累算された、最大相関エネルギーの合計である
方法。
【請求項９】
ステップ（ａ）はさらに、
（ａ１）移動局から送信された信号を受信するステップを含む請求項８の方法。
【請求項１０】
ステップ（ａ）はさらに、
（ａ２）予め設定されたデータレートで該信号を受信するステップを含む請求項９の方法。
【請求項１１】
該予め設定されたしきい値がフレームの期間に伝送された該電力制御グループに依存する請求項８の方法。
【請求項１２】
該予め設定されたしきい値が該伝送データレートに依存する請求項１１の方法。
【請求項１３】
該伝送データレートがフルレート、ハーフレート、４分の１レート、および８分の１レートのデータレートを含む請求項８の方法。
【請求項１４】
無線電話システムにおいて複数の伝送データレートから受信されたデータレートを決定するためのシステムであって、該システムは、
信号を受信する手段、
複数の累算された信号を形成するために該受信された信号を累算する手段、なお該累算された信号の各々は該伝送データレートの１つを表現し、
比較結果を形成するために、該累算された信号の各々を予め設定されたしきい値の１つと比較する手段と、そして
該比較結果に基づいて該受信されたデータレートを決定する手段と
を含み
ここで該累算された信号の各々は、該表現された伝送データレートよりも低い該伝送データレートに関して価値のない電力制御グループについて累算された、最大相関エネルギーの合計である、
システム。
【請求項１５】
移動局から伝送された信号を受信するための手段をさらに含む請求項１４のシステム。
【請求項１６】
該伝送データレートが、フルレート、ハーフレート、４分の１レート、および８分の１レートのデータレートを含む請求項１４のシステム。
【発明の詳細な説明】
【０００１】
【発明の属する技術分野】
本発明は、一般的に無線通信分野、そしてより明確には、送信あるいは受信されたデータ率の決定に関する。
【０００２】
【従来の技術】
無線通信の分野は、たとえばコードレス電話、ページング、無線ローカルループ、そして衛星通信システムを含む多くの応用を有している。とくに重要な応用は、移動加入者のためのセルラ電話システムである。たとえば周波数分割マルチプルアクセス（ＦＤＭＡ）、時分割マルチプルアクセス（ＴＤＭＡ）、そしてコード分割マルチプルアクセスを含む、これらセルラ電話システムに対して、種々の、空間に対するインターフェースが開発されている。それに関連して、たとえば、アドバンスドモービルホンサービス（ＡＭＰＳ），グローバルシステムフォーモービル（ＧＳＭ）、そしてＴＩＡ‐ＥＩＡ‐９５を含む、種々の国内、および国際標準が制定されている。とくにＴＩＡ‐ＥＩＡ‐９５およびその派生版、ＩＳ‐９５Ａ、ＩＳ‐９５Ｂ、ＡＮＳＩ  Ｊ‐ＳＴＤ‐００８、そして将来の派生版および強化版等（本文中ではしばしばまとめて、ＩＳ‐９５として参照している）は、通信産業協会（ＴＩＡ）および他の有名な規格団体によって発布されている。
【０００３】
ＩＳ‐９５の使用に従って構成されたセルラ電話システムは、効率が高く強力なセルラ電話サービスを与えるために、ＣＤＭＡ信号処理技術を用いている。実質的にＩＳ‐９５規格の使用に従って構成された典型的なセルラ電話システムは、米国特許５，１０３，４５９の中に記述されており、そしてこの特許は、本特許の譲渡人に譲渡され、参照によって完全に本特許に組み入れられている。前述の特許は、ＣＤＭＡ基地局内の送信、あるいは順方向リンク、信号処理につき説明している。ＣＤＭＡ基地局内の典型的な受信あるいは逆方向リンク、信号処理は、マルチチャネル復調器と題する、１９９７年１２月９日に提出された、米国アプリケーションシリアル番号０８／９８７，１７２の中に、記述されており、そしてこの資料は、本特許の譲渡人に譲渡され、参照によって完全に本特許に組み入れられている。
【０００４】
ＣＤＭＡシステムにおいて、空間への電力制御は重要な問題である。ＣＤＭＡシステムにおける典型的な電力制御の方法は、米国特許５，０５６，１０９の中に記述されており、そしてこの特許は、本特許の譲渡人に譲渡され、参照によって、完全に本特許に組み入れられている。
【０００５】
ＣＤＭＡ空間へのインターフェースを用いることの主要な利点は、通信が同じ無線周波帯で行われることである。たとえば、与えられた電話システム内の、各移動加入ユニット（典型的にはセルラ電話）は、同じ１．２５ＭＨｚの無線周波スペクトルにおいて、逆方向リンク信号を送信することによって、同じ基地局と通信が可能である。同様に、これらシステム内の各基地局は、他の１．２５ＭＨｚの無線周波スペクトルにおいて、順方向リンク信号を送信することによって、移動ユニットと通信が可能である。１．２５ＭＨｚが、選定されたＣＤＭＡチャネル帯域幅ではあるが、ＣＤＭＡチャネル帯域幅は１．２５ＭＨｚに限定される必要はなく、かわりに、たとえば５ＭＨｚのような、いかなる数であってもよいことは、理解されるべきである。
【０００６】
同じ無線周波スペクトルにおいて送信されている信号は、たとえば、セルラ電話システムの周波数の再使用の増加、および二つあるいはそれ以上の基地局間のソフトハンドオフ実行の能力を含む種々の利点を与える。増加した周波数の再使用は、与えられたスペクトルの総量の上で、処理されるべき呼の数をより多くすることを可能にする。ソフトハンドオフは、二つの基地局と同時にインターフェース接続することを含む、移動ユニットが二つあるいはそれ以上の基地局の分担範囲から移動することの強力な方法である。（対照的に、ハードハンドオフは、第２の基地局とのインターフェースを確立する以前に、第１の基地局とのインターフェースを終了することを含んでいる。）ソフトハンドオフを行う典型的な方法は、米国特許５，２６７，２６１に記述されており、この特許は、本特許の譲渡人に譲渡され、参照によってこの中に完全に組み入れられている。
【０００７】
従来のセルラ電話システムにおいて、公衆交換電話網（ＰＳＴＮ）（典型的には電話会社）および移動局交換センタ（ＭＳＣ）は、標準化されたＥ１および／あるいはＴ１電話線（今後Ｅ１／Ｔ１ラインとして参照する）上で、一つあるいはそれ以上の基地局コントローラ（ＢＳＣｓ）と通信する。基地局コントローラは、基地局トランシーバーサブシステム（ＢＴＳｓ）（基地局あるいはセルサイトの何れについても参照する）と、そしてまたお互いに、Ｅ１／Ｔ１ラインを含む迂回中継上で通信する。基地局トランシーバーサブシステムは、空中に送信された無線周波信号を経由して、移動ユニット（すなわちセルラ電話）と通信する。
【０００８】
従来のシステムにおいては、基地局あるいはセルサイトは、空間へのインターフェースを経由して、種々の移動ユニットと通信するように形成されている。ＣＤＭＡセルラシステムにおいては、基地局（時には本文中で基地局トランシーバーサブシステム（ＢＴＳｓ）として参照する）は、セルの容量を増加させるために、指向性アンテナによって定義されるような、セクタにしばしば分割される。セクタ自身は、セルサイトとして参照されるかも知れない。従来の基地局アーキテクチャは、典型的に、各セクタアンテナ地点で、１２０度づつ異なる放射方向をもった、３個のこのようなセクタを使用する。ＣＤＭＡシステムにおける各セクタは、回路網の目的のために、独立した基地局として機能する。
【０００９】
前述のＣＤＭＡに基づいたシステムは、送信ユニット内に可変レートボコーダを用いてきている。ユニットは、いくつかの予め設定されたフレームレートの一つで送信する能力がある。これらのシステム内の指定された受信機は、可能なフレームレートの何れが送信されているかを決定しなければならない。このレート決定は、受信機内部に与えられた、いくつかのフレームパラメータをもとに各フレームを分類する、盲目的レート決定アルゴリズム（ＲＤＡ）によって行われる。レート決定動作の出力は、受信されたフレームの中に誤差が存在するか否かの表示とともに、適切な送信されたフレームレートの表示である。
【００１０】
前述のレート決定方式は、単独あるいは組み合わせの何れにせよ、巡回冗長検査（ＣＲＣ）ビット、再符号化された記号誤り数、Ｙａｍａｍｏｔｏ品質ビットの使用を含んでいる。
【００１１】
典型的には、何れのレートが実際に送信されたかに関する決定の以前に、すべてのフレームレートは復号される。この盲目的な強引な方法は、最適でない方法で、少ない資源を利用している。上述の方法はまた機能上の問題に遭遇する。
【００１２】
必要とされるのは、送信された信号の受信端において、フレームレートを最適に決定するための装置と方法、そしてレート決定方法の機能を改善することである。
【００１３】
【課題を解決するための手段】
本発明は、無線電話システム中における受信されたデータレートの決定に対するシステムと方法に向けられている。装置は、累積された信号を形成するために、受信されたエネルギーレベルを表現する受信信号を累算するための累算器を含んでいる。付加的に含まれるものは、累算された信号を予め設定された基準レベルと比較し、また、データレートが、フル、ハーフ、４分の１、あるいは８分の１の何れかであることを示す個々のデータレートを表現する、そしてまた、受信エネルギーレベルを表現する、第２の信号を発生するためのコンパレータである。
【００１４】
本発明の実施例は、無線電話システム中のデータレートを決定するための、信号を受信し、あらかじめ設定されたデータレートで移動局から送信された信号を受信し、レーク受信機内の受信された信号を合計された信号に結合し、そしてそこで、比較結果を形成するために、合計された信号を、予め設定されたしきい値と比較するステップを有する方法を含んでいる。そこで、最適なデータレートが比較結果をもとに基礎とされる。
【００１５】
【発明の実施の形態】
無線電話通信のための種々のセルラシステムは、空間へのインターフェースを経由して移動ユニットと通信する固定基地局を使用している。これらのセルラシステムは、たとえばＡＭＰＳ（アナログ）、ＩＳ‐５４（北米ＴＤＭＡ）、ＧＳＭ（移動通信ＴＤＭＡのためのグローバルシステム）、そしてＩＳ‐９５（ＣＤＭＡ）を含んでいる。選定された実施例において、このセルラシステムはＣＤＭＡシステムである。セルラなる用語は、セルラ、パーソナル通信サービス（ＰＣＳ）、無線ローカルループ（ＷＬＬ）、その他同種類のものを含むことのできる、いかなる無線システムをも含んでいる。
【００１６】
図１に示している、また移動電話交換局（ＭＴＳＯ）とも呼ばれる、システムコントローラおよびスイッチ１１０は、典型的にインターフェースおよびセルサイトに対するシステム制御を与えるための処理回路を含んでいる。コントローラ１１０はまた、公衆交換電話回路網（ＰＳＴＮ）から、適切な移動あるいは加入者への伝送のための適切なセルサイトまでの、電話呼の経路指示をも制御する。コントローラ１１０はまた、移動局あるいは遠隔加入者ユニットから、少なくとも一つのセルサイトを用いている公衆交換電話網への、呼の経路指示をも制御する。コントローラ１１０は、加入者ユニットは典型的には互いに直接に通信しないので、適切な基地局を用いて、加入者ユーザ間の呼を接続あるいはリンクするかも知れない。
【００１７】
コントローラ１１０は、専用電話線、光ファイバリンク、あるいはマイクロ波通信リンクのような種々の方法によって、セルサイトに結合されるかもしれない。図１において、移動ユニット１１６および１１８とともに、二つのこのように典型的なセルサイト１１２および１１４を示した。ここで、各移動ユニットはセルラ電話機を含んでいる。ここに論じまた図に示したように、典型的セルサイト１１２および１１４は、全セルに対してサービスを与えるように考慮されている。しかし、セルは、異なった分担領域にサービスを与えるようなそれぞれのセクタに、地理的に分割されるかも知れないことを理解しなければならない。従って一般的にハンドオフは、セル内のセクタ間で行われる。一方ダイバーシチは、セル間で行われると同様にセクタ間で達成されるかもしれない。
【００１８】
図１において、線１２０ａ‐１２０ｂおよび１２２ａ‐１２２ｂは、それぞれの矢印とともに、セルサイト１１２および移動ユニット１１６および１１８間それぞれの、種々のトラフィックチャネルにわたってのデータ伝送を含む、信号伝送に対応している。同様に、線１２４ａ‐１２４ｂおよび１２６ａ‐１２６ｂは、セルサイト１１４および移動ユニット１１６および１１８それぞれの間の通信を表している。セルサイト１１２および１１４は、通常等しい電力を用いて送信する。
【００１９】
セルサイトサービス区域の分担すなわちセルは、通常移動ユニットが一つのセルサイトにもっとも近いような、またセルがセクタに分割されるならばただ一つのセクタ内にあるような、地理的形状に設計すなわち展開される。移動ユニットが不使用すなわち呼が進行中でないときは、移動ユニットは、それぞれの近傍セルサイトからの、そしてもし適用可能であれば、セルがセクタ化されていれば、１個のセルサイトからのパイロット信号伝送を、つねにモニタしている。移動局１１６は、セルサイト１１２および１１４から送信されるパイロット信号の強度を比較することにより、自分がどのセルにいるかを決定することができる。
【００２０】
図１に示した例において、移動局１１６はセルサイト１１２に最も近いと考えるかも知れない。移動局１１６が呼を開始するとき、制御メッセージが最も近いセルサイト、ここではセルサイト１１２に送信される。呼要求メッセージを受信したセルサイト１１２は、被呼番号をシステムコントローラ１１０に転送する。システムコントローラ１１０は、そこでＰＳＴＮを通じて、呼を指定された受信者に接続する。
【００２１】
ＰＳＴＮの中で呼が開始されたとしよう。コントローラ１１０は、呼の情報を区域内のすべてのセルサイトに送信する。セルサイトは、返報にそれぞれの分担区域内に、被呼受け取り移動ユーザに対する指定のページングメッセージを送信する。指定された受信移動ユニットが“聞いた”すなわちページメッセージを受信したときは、もっとも近いセルサイトに送信される制御メッセージをもって応答する。この制御メッセージは、システムコントローラに、この特定のセルサイトが、ページされた移動ユニットと通信中であることを信号する。コントローラ１１０は、そこでこのセルサイトを通じて移動ユニットに呼を送る。移動ユニット１１６が、最初のセルサイト１１２の分担区域外に移動したと仮定しよう。他のセルサイトを通じて呼を送ることによって、呼を継続させるための試みがなされる。
【００２２】
図１の典型的システムにおいて、直交Ｗａｌｓｈ関数が、セルから加入者へのリンク上でユーザチャネルに割り当てられる。音声チャネルの場合、各音声信号に対するディジタル記号ストリームは、割り当てられたＷａｌｓｈシーケンスによって掛け合わせられる。各音声チャネルに対するＷａｌｓｈ符号化された記号ストリームは、そこで、外ＰＮ符号化された波形に掛け合わせられる。その結果生じる拡散記号ストリームは、そこで合成波形を形成するために加え合わせられる。本発明の他の実施例は、加入者からセルへのリンク上で直交Ｗａｌｓｈ関数を割り当てることを含んでいる。
【００２３】
その結果生じる合成波形は、そこで正弦波搬送波上に変調され、バンドパスフィルタを通り、必要とする動作周波数に変換され、増幅され、そしてアンテナシステムによって放射される。本発明のこれに替わる実施例は、セルサイト送信信号を形成するための、今述べた動作のいくつかの順序を交換することが可能である。たとえば、外ＰＮ符号化された波形に各音声チャネルを掛け合わせ、そしてアンテナによって放射されるべき、すべてのチャネル信号の合計に先立って、フィルタ動作を実行することが選択可能である。当業界においては、線形オペレーションの順序は、種々の実施上の利点および異なった設計を得るために、入れ替えできることはよく知られている。
【００２４】
セルラサービスに関する選定された実施例の波形設計は、米国特許４，９０１，３０７に記述されているように、セルから加入者へのリンクに対して、パイロット搬送波アプローチを用いている。すべてのセルは、同一の３２，７６８長シーケンスを用いているパイロット搬送波を送信するが、相互干渉を防止するためにタイミングオフセットは異なっている。
【００２５】
以下にきわめて詳細に記述されているように、個々のセルラユーザに対する記号ストリームは、ユーザに割り当てられたＷａｌｓｈシーケンスと第１番目の排他的論理和演算中に結合されている。このＷａｌｓｈ関数は、典型的には１．２２８８ＭＨｚ、３．６８６４ＭＨｚ、あるいは４．０９６ＭＨｚのレートでクロックされている。一方、音声、ファクシミリ（ＦＡＸ）および高／低速度データチャネルを含む典型的な可変データレートシステムにおいては、情報記号レートは、約７５Ｈｚから７６，８００Ｈｚに変化するかもしれない。その結果生じる符号化された波形は、同様１．２２８８ＭＨｚでクロックされた、バイナリＰＮシーケンスと、第２番目の排他的論理和演算中に結合されている。本発明の他の実施例は、３〜５ＭＨｚあるいはそれ以上の範囲のクロックシーケンスを含んでいる。とりわけ、選定された実施例は、３．６８６４ＭＨｚおよび４．０９６ＭＨｚのレートを含んでいる。同一のバイナリＰＮシーケンスが、セルラシステムの分担区域の特定セクタ内の、各加入者チャネルを符号化するのに使用される。Ｗａｌｓｈ符号シーケンスの直交性の結果、各シーケンスは、セクタ内のユーザ中に干渉をひきおこすことなしに、このセクタと組み合わせられた単一の無線周波チャネル上のユーザデータを処理するのに使用することができる。
【００２６】
Ｗａｌｓｈ符号の適用に先立ち、各チャネルによって伝送された信号はまた、システムがずっと低い信号対雑音および干渉比をもって動作することを可能とする、誤り検出および訂正機能を与えるために、繰り返して畳み込み符号化し、また挿入することができる。畳み込み符号化、繰り返し、および挿入のための手法は、当業界でよく知られている。結果として生じる信号は、そこで一般的に無線周波搬送波上に変調され、他の音声搬送波とともにパイロットおよびセットアップ搬送波と合計される。合計は、ＩＦ周波数において、あるいはベースバンド周波数においてといった、処理中のいくつか異なった点において、特定のセル内のチャネルと組み合わせられたＰＮシーケンスによって、乗算の前あるいは後の何れかにおいて完了することができる。
【００２７】
選択的に、選定された実施例は、関連する規格のＩＳ‐９５シリーズと逆方向コンパチブルであることもできるがその必要はない。
【００２８】
図２に移って、逆リンク移動局送信機および基地局受信機の部分が示されている。移動局送信２００は、情報ビット２０２の発生とともに始まる。これらの情報ビット２０２は、言葉がディジタルフォーマットに翻訳されているボコーダ（図示せず）からの出力を表わすかも知れず、あるいは代わりに初めからディジタルデータとして始まるかも知れない。本発明の目的に対しては、情報ビット２０２のソースは無関係である。情報ビット２０２は、畳み込み符号器２０４に送られ、そこで順方向誤り訂正に対する冗長度が付加される。結果として生じる符号記号は、そこで時間ダイバシチ基準でインターリーバ２０６において挿入され、変調器２０８に送られる。変調器２０８は、挿入された記号を、ＩＳ‐９５（あるいは関連した）規格に従って、直交６４‐ａｒｙ  Ｗａｌｓｈ符号シーケンスに拡張する。結果として生じるＷａｌｓｈ記号は、そこで適切なレートで拡散される。
【００２９】
基地局受信機２５０の中では、移動局送信機２００から送信された信号が逆拡散変調器２５２において受信される。受信された信号は、逆拡散変調され、受信された信号についてＨａｄａｍａｒｄ変換を行う、Ｗａｌｓｈ相関器２５４に送られる。受信された信号は、６４Ｗａｌｓｈ相関エネルギー容器（ｂｉｎｓ）の一つに置かれ、そこで相関エネルギーが計算され、そしてコンパレータ２５６内で、図３を参照しながら以下に詳細が説明される、本特許の実施例にしたがって、予め設定されたレベルと比較される。受信された記号は、２５８、２６０項内で６個のソフトデシジョンを発生するのに使用される。受信された信号は、そこでデインターリーバ２６２の中でデインターリーブされ、ＩＳ‐９５規格に従って、復号器２６４内で復号される。
【００３０】
受信されたエネルギーを評価するための処理は、受信された信号の受信されたフィンガすべての中の最大のＷａｌｓｈ相関エネルギー（Ｗａｌｓｈエネルギー）のエネルギーを合計することを包含する。各フィンガーは、レークあるいは他の適切な受信機内における、同じ送信信号に対する異なった多経路受信を表している。
【００３１】
図３に関しては、方法３００は、比較ステップ３０５を含んでいる。フルレートエネルギー（ＦＲ＿ＮＲＧ）は、予め設定されたしきい値ＦＲ＿ＴＨＲと比較される。フレームエネルギーを計算するための選定された実施例は、全フレーム（あるいは、電流レート仮説によるそれに関する目標部分）について、最大Ｈａｄａｍａｒｄ変換相関エネルギーを合計することである。しきい値は、用途（音声、データ等）によって異なることのあり得る、レート決定アルゴリズムの機能に関する要求をもとにした変数である。もしもＦＲ＿ＮＲＧがＦＲ＿ＴＨＲしきい値を超えるならば、そこでフルレートはステップ３１０の中に示される。ステップ３１５において、もしもフルレートが存在しなければ、そこでハーフレートに対する試験が行われる。もしも、ハーフレートエネルギーを含んでいる、フレームの半数に対する受信されたレベルＨＲ＿ＮＲＧが、ＨＲ＿ＴＨＲしきい値を超えるならば、そこでハーフレートは、ステップ３２０に示される。もしもハーフあるいはフルレートの何れも示されなければ、そこで制御は、ステップ３２５に進む。もしもフレームの４分の１にわたって測定されたエネルギーＱＲ＿ＮＲＧが、ＱＲ＿ＴＨＲしきい値を超えるならば、そこでステップ３３０で４分の１レートが決定される。もしもレートがなお決定される必要があれば、そのときはステップ３３５で、８分の１レートが仮定される。
【００３２】
要約すると、このようにＦＲ＿ＮＲＧは、より低いレート（ハーフ、４分の１、８分の１）の何れに対しても価値のない、フルレートで価値のある電力制御グループ（ＰＣＧｓ）に対する、最大Ｗａｌｓｈ相関エネルギーの合計である。同様に、ＨＲ＿ＮＲＧは、より低いレート（４分の１、８分の１）の何れに対しても価値のない、ハーフレートで価値のある電力制御グループに対する、最大Ｗａｌｓｈ相関エネルギーの合計である。同様な方法は、必要により、ＱＲ＿ＮＲＧおよびＥＲ＿ＮＲＧに対して繰り返される。
【００３３】
フレームが示されている期間中の、エネルギー累積の図的表現である図４を参照する。表現を容易にするために、エネルギーの連続した帯が、レート間の差が容易に分かるように示されている。電力制御グループとして知られる、１６までの個々のエネルギー帯が、ＩＳ‐９５規格に従って、一つのフレームを通して、擬似乱数的に配置されている。バー４１０で示したように、フルレートエネルギーが、全フレームを占有している。バー４２０は、フレームの半分だけを占有しているようにハーフレートエネルギーの累積を示している。一方、４分の１レートバー４３０および８分の１レートバー４４０も同様に示される。
【００３４】
本発明の選定された実施例は、そのレートおよびより高いレートに対してのみ、エネルギーを含んでいるフレームの部分を用いている特徴を利用している。たとえば、バー４１０において、バー４１２の右側の半分は、エネルギーについて吟味される。もしも予め設定されたレベルを超えるエネルギーが見られた場合は、そこで図４から、フルレートは多分送信されていることが容易に分かるであろう。フルレートは決定されていないと仮定して、上記の方法をバー４２０に適用すると、そこでバー４２０の部分４２２が吟味される。もしも予め設定されたレベルを超えるエネルギーが見られたときは、そこでハーフレート決定が最適になる。さらに、バー４３０において、バー４３０の部分４３２が、フルおよびハーフレート測定が存在しないと決定される後に続けて吟味されるならば、そこで４分の１レート決定がなされる。同様にして、フル、ハーフ、あるいは４分の１レート決定の何れもなされないならば、そこで８分の１レート決定がなされる。
【００３５】
フレームエネルギーの復調基準は、従来の復号基準に対して付加的な情報を与え、フレームエネルギー計算を含まない方法を超えて、機能の改善を助ける。たとえば、フレームエネルギー基準は、ＩＳ‐９５ＣＤＭＡシステムにおける方法に基づいた復号基準を改善するのに使用される。移動局は、より低いレートにおける送信に対してデータバーストランダム化を使用する。各フレームは、１６個の等長電力制御グループに分割される。フル、ハーフ、４分の１、８分の１レートフレームは、それぞれフレームあたり１６、８、４、および２個の電力制御グループを用いて送信される。移動局が送信する対象の電力制御グループは価値ある電力制御グループと呼ばれる。異なった電力制御グループ内におけるエネルギーの存在そして／あるいは不存在は、送信されたレートで相互に関連させられる。
【００３６】
選定された実施例において、フレームエネルギーは、より低いレートに対してはまた無価値な、価値ある電力制御グループに対する最大Ｈａｄａｍａｒｄ変換相関エネルギーとして得られる。第１のセットは、フルレートフレームが送信されたときのみ使用される８電力制御グループを含む。第２のセットは、フルレートあるいはハーフレートが送信されたときはいつでも使用される４電力制御グループを含む。第３のセットは、４分の１レートあるいはより高いレートのフレームが送信されたときはいつでも使用される、２電力制御グループを含む。最後のセットは、すべてのレートに対してつねに送信される、残りの２電力制御グループを含む。
【００３７】
このように、受信されたデータレートを決定するための新しいそして改善された方法および装置が記述されてきた。当業界の人々は理解するであろうように、この特定の実施例は、ＣＤＭＡ無線通信システムに適用されるが、分散されたアーキテクチャを有する、あるいは有しない、何れのディジタル（ＣＤＭＡあるいはＴＤＭＡのどちらにも）地球あるいは衛星、固定あるいは移動無線（音声あるいはデータあるいはこれらの組み合わせ）システムにもまた、適用され得る。
【００３８】
本発明の選定された実施例は、このように示され、記述されてきた。しかしながら、当業界の普通の人にとっては、本発明の精神、あるいは範囲から逸脱することなしに、ここに開示した実施例に対して、多くの代案が作られ得ることは明らかである。その結果、本発明は、以下の特許請求の範囲およびこれと等価なものにしたがったものに限定されるものではない。
【図面の簡単な説明】
【図１】  図１は、本発明の実施例が存在しそして動作している無線電話通信システムを説明している。
【図２】  図２は、本発明の実施例に関する、移動局送信機および基地局受信機逆方向リンクのブロック線図を説明している。
【図３】  図３は、本発明の実施例に関する、フローチャート線図を説明している。
【図４】  図４は、本発明の実施例中の、種々のフレームレートにおける、フレームエネルギーの表示を説明している。
【符号の説明】
１１０…システムコントローラおよびスイッチ
１１２…セルサイト
１１４…セルサイト
１１６…移動局
１１８…移動局
【図１】
0004607397.tif 000002
【図２】
0004607397.tif 000003
【図３】
0004607397.tif 000004
【図４】
0004607397.tif 000005